(57)【要約】  【課題】  抵抗膜方式のタッチパネルにおいて、タッチパネルが押されている領域の大きさを検知することを可能とする。  【解決手段】  接触可能に対向配置されている第１及び第２抵抗膜１ａ、１ｂと、第１抵抗膜１ａを電圧源に接続する第１接続経路２ａと、第２抵抗膜１ｂに係る電圧値を検出する検出手段とを備えるタッチパネルにおいて、第１接続経路２ａに、相異なる電気抵抗値を有する第１及び第２経路部５１ａ、５２ａ、並びに第１経路部５１ａと第２経路部５２ａとを切換える切換え手段を設け、切換え手段により、第１経路部５１ａ及び第２経路部５２ａ夫々に切換えた状態で、第１及び第２電圧値を検出し、第１抵抗膜１ａを電圧源に接続することにより生じる電位勾配方向における第１及び第２抵抗膜１ａ、１ｂが接触する領域の長さを、第１及び第２電圧値から検知する検知手段を備える。【選択図】        図１
2005196310.tif 000002
【特許請求の範囲】
【請求項１】
接触可能に対向配置されている２つの抵抗膜と、一方の抵抗膜を電圧源に接続する接続経路と、前記２つの抵抗膜が接触した際に、他方の抵抗膜に係る電圧値を検出する検出手段とを備えるタッチパネルにおいて、
前記接続経路は、相異なる電気抵抗値を有する第１経路部及び第２経路部と、該第１経路部及び前記第２経路部を切換える切換え手段とを備え、
前記検出手段は、前記切換え手段により、前記第１経路部及び第２経路部夫々に切換えた状態で、第１及び第２電圧値を検出する手段を有し、
前記一方の抵抗膜を電圧源に接続することにより生じる電位勾配方向における、前記２つの抵抗膜が接触する領域の長さに係る値を、前記第１及び第２電圧値から検知する検知手段を備えることを特徴とするタッチパネル。
【請求項２】
前記第１経路部の電気抵抗値に対応する値を記憶している記憶手段を備え、
前記検知手段は、
前記記憶手段が記憶している前記第１経路部の電気抵抗値に対応する値、並びに第１及び第２電圧値を用いて、前記領域の長さに係る値ｋを演算する演算手段を有する請求項１に記載のタッチパネル。
【請求項３】
前記第１経路部の電気抵抗値及び前記一方の抵抗膜の抵抗値を記憶している記憶手段を備え、
前記検知手段は、
前記記憶手段が記憶している前記第１経路部の電気抵抗値及び前記一方の抵抗膜の抵抗値、並びに前記第１及び第２電圧値を用いて、前記領域の長さに係る値ｋを演算する演算手段を有する請求項１に記載のタッチパネル。
【請求項４】
前記一方の抵抗膜の長さＬを記憶しており、
前記領域の長さに係る値ｋと前記長さＬとから、前記領域の長さを演算する領域長演算手段を更に備える請求項２又は請求項３に記載のタッチパネル。
【請求項５】
前記２つの抵抗膜に加わる圧力の値と、前記ｋの値との対応関係を記憶しており、
前記ｋの値と、前記対応関係とから、前記圧力の値を特定する圧力特定手段を更に備える請求項２乃至請求項４のいずれか一つに記載のタッチパネル。
【請求項６】
前記演算手段は、
前記第１経路部の電気抵抗値をｒ、前記一方の抵抗膜の抵抗値をＲ、前記第１電圧値をＶ１、前記第２電圧値をＶ２として、前記ｋの値を
ｋ＝１−Ｖ２・ｒ／｛（Ｖ１−Ｖ２）・Ｒ｝
と演算する請求項３乃至請求項５のいずれか一つに記載のタッチパネル。
【請求項７】
前記切換え手段は、前記第１経路部又は第２経路部に切換えた状態で前記検出手段が前記第１又は第２電圧値を検出した後に、前記第１経路部又は第２経路部から、前記第２経路部又は第１経路部に切換える請求項１乃至請求項６に記載のタッチパネル。
【請求項８】
請求項１乃至請求項７のいずれかに記載のタッチパネルを複数有し、表示板と、絶縁膜とを備え、
前記表示板に、前記複数のタッチパネル夫々が前記絶縁膜を介して積層されていることを特徴とするタッチパネルシステム。
【請求項９】
接触可能に対向配置されている２つの抵抗膜と、一方の抵抗膜を電圧源に接続する接続経路と、前記２つの抵抗膜が接触する際に、他方の抵抗膜に係る電圧値を検出する検出手段と、前記２つの抵抗膜が接触する位置に係る値を、前記電圧値から検知する位置検知手段とを備えるタッチパネルを複数有し、表示板と絶縁膜とを備え、
前記表示板に、前記複数のタッチパネル夫々が前記絶縁膜を介して積層されていることを特徴とするタッチパネルシステム。
【請求項１０】
接触可能に対向配置されている２つの抵抗膜と、一方の抵抗膜を電圧源に接続する接続経路と、前記２つの抵抗膜が接触する際に、他方の抵抗膜に係る電圧値を検出する検出手段と、前記２つの抵抗膜が接触する位置に係る値を、前記電圧値から検知する位置検知手段とを有するタッチパネルと、
該タッチパネルに略平行に配置されている表示板と、
該表示板と前記タッチパネルとの間、又は前記タッチパネルに対して前記表示板の反対側に配置されている圧電膜と
を備えることを特徴とするタッチパネルシステム。
【請求項１１】
請求項１乃至請求項７のいずれかに記載のタッチパネルと、
該タッチパネルに略平行に配置されている表示板と、
該表示板と前記タッチパネルとの間、又は前記タッチパネルに対して前記表示板の反対側に配置されている圧電膜と
を備えることを特徴とするタッチパネルシステム。
【発明の詳細な説明】
【技術分野】
【０００１】
本発明は、抵抗膜方式のタッチパネルに関し、特にタッチパネルが押されている領域における、電位勾配方向の長さ、面積、圧力を検知することができるタッチパネル、並びにタッチパネル及表示板を備えるタッチパネルシステムに関する。
【背景技術】
【０００２】
図１５は、従来のタッチパネルシステムを模式的に示した構成図である。タッチパネルシステムは、タッチパネルと、表示板７ａ、例えば液晶ディスプレイとを備えている。タッチパネルは、位置検出用の抵抗膜１と、抵抗膜１に電圧を印加する接続経路５０２と、接続経路５０２が有するスイッチの開閉を制御する制御部５０４とを備えている。表示板７ａは、抵抗膜１に対向配置している。図１５中７ｂは、表示板７ａを直接的に制御するＬＣＤ（Ｌｉｑｕｉｄ  Ｃｒｙｓｔａｌ  Ｄｉｓｐｌａｙ）コントローラであり、制御部５０４に接続されている。
【０００３】
図１６は、従来のタッチパネルを模式的に示した構成図である。
タッチパネルは、２つの抵抗膜、即ち第１抵抗膜１ａ及び第２抵抗膜１ｂと、第１抵抗膜１ａを電圧源に接続する第１接続経路５０２ａと、第２抵抗膜１ｂを電圧源に接続する第２接続経路５０２ｂと、第１抵抗膜１ａの電圧を出力する第１出力部３ａと、第２抵抗膜１ｂの電圧を出力する第２出力部３ｂと、マイクロ・コンピュータである制御部５０４とを備えている（例えば、特許文献１）。
【０００４】
制御部５０４は、第１及び第２出力部３ａ、３ｂにより出力される電圧の電圧値を検出する検出手段と、タッチパネルが押されている位置、即ち第１及び第２抵抗膜１ａ、１ｂが互いに接触する部分の位置を検知する位置検知手段とを有している。
【０００５】
第１接続経路５０２ａは、第１抵抗膜１ａが有する一辺１０ａを電圧源の高電位側に接続及び切断する第１スイッチ５２０ａを有する配線部分と、一辺１０ａと略平行な他方の一辺１１ａを電圧源の基準電位側に接続及び切断する第２スイッチ５２１ａを有する配線部分とを備えている。
【０００６】
同様に、第２接続経路５０２ｂは、第２抵抗膜１ｂが有する一辺１０ｂを電圧源の高電位側に接続及び切断する第３スイッチ５２０ｂを有する配線部分と、一辺１０ｂと略平行な他方の一辺１１ｂを電圧源の基準電位側に接続及び切断する第４スイッチ５２１ｂを有する配線部分とを備えている。
【０００７】
このように構成されるタッチパネルの動作を説明する。図１６に示すように、タッチパネル上のＰ点が押され、第１抵抗膜１ａと第２抵抗膜１ｂとがＰ点で接触した場合を説明する。図１６においては、第１及び第２接続経路５０２ａ、５０２ｂは、Ｖｃｃの定電圧を有する電圧源に接続されている。まず、図１６に示したＸ方向、即ち左右方向におけるＰ点の位置を検知するために、第１及び第２スイッチ５２０ａ、５２１ａを閉じ、第１抵抗膜１ａに電圧Ｖｃｃを印加し、第２抵抗膜１ｂには電圧が印加されないように第３及び第４スイッチ５２０ｂ、５２１ｂを開く。第１抵抗膜１ａと第２抵抗膜１ｂとが、Ｐ点で接触している場合、第１抵抗膜１ａのＰ点における電圧が、第２抵抗膜１ｂに誘起され、第２出力部３ｂに出力される。制御部５０４は、検出手段により、第２出力部３ｂにより出力される電圧値Ｖｘ、つまり第２出力部３ｂが制御部５０４に接続している部分の電圧の値を検出する。次いで、図１６に示したＹ方向、即ち上下方向におけるＰ点の位置を検知するために、第３及び第４スイッチ５２０ｂ、５２１ｂを閉じ、第２抵抗膜１ｂに電圧Ｖｃｃを印加し、第１抵抗膜１ａには電圧が印加されないように第１及び第２スイッチ５２０ａ、５２１ａを開く。同様にして、制御部５０４は、検出手段により第１出力部１ａに出力される電圧値Ｖｙ、つまり、第１接続経路２ａが制御部５０４に接続している部分の電圧値を検出する。
【０００８】
制御部５０４は、検出した電圧値Ｖｘから、Ｘ方向におけるＰ点の位置を検知する。第１抵抗膜１ａにおける、Ｐ点より高電位側部分１２ａの電気抵抗値をＲｘ１、Ｐ点より低電位側部分１３ａの電気抵抗値をＲｘ２とした場合、電圧値Ｖｘについて、
Ｖｘ／Ｖｃｃ＝Ｒｘ２／（Ｒｘ１＋Ｒｘ２）
で示される関係が成立する。そうすると、電圧値Ｖｘは、Ｐ点のＸ方向の位置に比例する。従って、電圧値Ｖｘから、Ｐ点のＸ方向の位置を検知することができる。同様にして、電圧値Ｖｙから、点ＰのＹ方向の位置を検知することができる。
【特許文献１】特開２０００−２９５８６号公報
【発明の開示】
【発明が解決しようとする課題】
【０００９】
しかしながら、従来のタッチパネルにおいては、タッチパネルが押されている位置を検知することは可能であるが、タッチパネルが押されている領域の長さ、面積、即ち第１抵抗膜１ａと第２抵抗膜１ｂとが接触している領域の、電位勾配方向（Ｘ方向、又はＹ方向）の長さ、面積等を検知することができないという問題があった。また、第１及び第２抵抗膜１ａ、１ｂが押されている圧力の強さを検知することができないという問題があった。更に、タッチパネルが押されている状態、例えば、斜め方向から押されているか否かを検知することができないという問題があった。
【００１０】
図１７は、従来のタッチパネルが有している問題点を説明する構成図である。図１７に示すように、Ｐ点を中心として、領域Ｐ２でタッチパネルが押された場合、つまり、第１抵抗膜１ａと第２抵抗膜１ｂとが互いに接触する領域が図１７に示すＰ２の範囲になる場合の動作を説明する。この場合、Ｖｘ／Ｖｃｃの値は、第１抵抗膜１ａにおける、領域Ｐより高電位側部分１１２ａの電気抵抗値をＲｘ１１、領域Ｐ２より低電位側部分１１３ａの電気抵抗値をＲｘ１２として、Ｒｘ１２／（Ｒｘ１１＋Ｒｘ１２）となる。従って、タッチパネルが押される領域が、大きい場合であっても、押されている領域Ｐ２の中心部分、即ちＰ点のＸ方向における位置が検知されるのみであり、タッチパネルが押されている領域の長さ、面積、タッチパネルに加わる圧力等を検知することはできない。また、タッチパネルが押されている状態、例えばタッチパネルを押しているペン先の向きを検知することもできない。
【００１１】
本発明は、斯かる事情に鑑みてなされたものであり、接続経路に相異なる電気抵抗値を有する２つの経路部を設け、２つの経路部夫々に切換えた状態で、２つの異なる電圧値を検出し、検出した電圧値からタッチパネルが押されている領域の長さ、面積を検知することを可能とするタッチパネルを提供することを目的とする。
【００１２】
また、タッチパネルが押されている領域の面積を演算し、タッチパネルが押されている圧力の大きさを特定することが可能となるタッチパネルを提供することを目的とする。
【００１３】
更に、タッチパネルが押されている状態を、タッチパネル単体に比べ、より詳細に検知することが可能となるタッチパネル及びタッチパネルシステムを提供することを目的とする。
【課題を解決するための手段】
【００１４】
本発明に係るタッチパネルは、接触可能に対向配置されている２つの抵抗膜と、一方の抵抗膜を電圧源に接続する接続経路と、前記２つの抵抗膜が接触した際に、他方の抵抗膜に係る電圧値を検出する検出手段とを備えるタッチパネルにおいて、前記接続経路は、相異なる電気抵抗値を有する第１経路部及び第２経路部と、該第１経路部及び前記第２経路部を切換える切換え手段とを備え、前記検出手段は、前記切換え手段により、前記第１経路部及び第２経路部夫々に切換えた状態で、第１及び第２電圧値を検出する手段を有し、
前記一方の抵抗膜を電圧源に接続することにより生じる電位勾配方向における、前記２つの抵抗膜が接触する領域の長さに係る値を、前記第１及び第２電圧値から検知する検知手段を備えることを特徴とする。
【００１５】
本発明にあっては、切換え手段により、接続経路が有する経路部を、電気抵抗値が異なる第１経路部と、第２経路部とに切換えることができるため、２つの異なる情報、即ち第１及び第２電圧値を検出することができる。また、第１及び第２経路部が有する電気抵抗値は、２つの抵抗膜が接触する領域の大きさに依存しない。従って、第１及び第２電圧値を解析することにより、２つの抵抗膜が互いに接触している領域の長さを検知することが可能となる。
【００１６】
本発明に係るタッチパネルは、前記第１経路部の電気抵抗値に対応する値を記憶している記憶手段を備え、前記検知手段は、前記記憶手段が記憶している前記第１経路部の電気抵抗値に対応する値、並びに第１及び第２電圧値を用いて、前記領域の長さに係る値ｋを演算する演算手段を有することを特徴とする。
【００１７】
本発明にあっては、記憶手段が記憶している第１経路部の電気抵抗値に対応する値、並びに第１及び第２電圧値を用いて、２つの抵抗膜が接触している領域の電位勾配方向の長さに係る値ｋを、演算手段により演算することができる。従って、２つの抵抗膜が接触している領域の長さに比例する値、又は前記領域の長さに対応する値等を得ることができ、前記領域の電位勾配方向の長さを検知することが可能となる。
【００１８】
本発明に係るタッチパネルは、前記第１経路部の電気抵抗値及び前記一方の抵抗膜の抵抗値を記憶している記憶手段を備え、前記検知手段は、前記記憶手段が記憶している前記第１経路部の電気抵抗値及び前記一方の抵抗膜の抵抗値、並びに前記第１及び第２電圧値を用いて、前記領域の長さに係る値ｋを演算する演算手段を有することを特徴とする。
【００１９】
本発明にあっては、記憶手段が記憶している第１経路部の電気抵抗値及び一方の抵抗膜の抵抗値、並びに第１及び第２電圧値を用いて、２つの抵抗膜が接触している領域の電位勾配方向の長さに係る値ｋを、演算手段により演算することができる。従って、前記領域の長さを、電位勾配方向における一方の抵抗膜の長さに対する割合として、検知することが可能となる。
【００２０】
本発明に係るタッチパネルは、前記一方の抵抗膜の長さＬを記憶しており、前記領域の長さに係る値ｋと前記長さＬとから、前記領域の長さを演算する領域長演算手段を更に備えることを特徴とする。
【００２１】
本発明にあっては、長さ演算手段により、２つの抵抗膜が接触している領域の長さを、値ｋと、長さＬとから演算することができる。従って、２つの抵抗膜が接触している領域の長さを得ることが可能となる。
【００２２】
本発明に係るタッチパネルは、前記２つの抵抗膜に加わる圧力の値と、前記ｋの値との対応関係を記憶しており、前記ｋの値と、前記対応関係とから、前記圧力の値を特定する圧力特定手段を更に備えることを特徴とする。
【００２３】
本発明にあっては、圧力特定手段により、ｋの値と、２つの抵抗膜に加わる圧力の値との対応関係から、２つの抵抗膜に加わる圧力の値を特定することができる。
【００２４】
本発明に係るタッチパネルにおいて、前記演算手段は、前記第１経路部の電気抵抗値をｒ、前記一方の抵抗膜の抵抗値をＲ、前記第１電圧値をＶ１、前記第２電圧値をＶ２として、前記ｋの値をｋ＝１−Ｖ２・ｒ／｛（Ｖ１−Ｖ２）・Ｒ｝と演算することを特徴とする。
【００２５】
本発明にあっては、２つの抵抗膜が接触している領域の長さに対応する値ｋを、演算手段により、ｋ＝１−Ｖ２・ｒ／｛（Ｖ１−Ｖ２）・Ｒ｝として演算することができる。ｋの値は、一方の抵抗膜に対する前記領域の長さの割合である。従って、ｋの値から前記領域の長さを検知することが可能となる。
【００２６】
本発明に係るタッチパネルにおいて、前記切換え手段は、前記第１経路部又は第２経路部に切換えた状態で前記検出手段が前記第１又は第２電圧値を検出した後に、前記第１経路部又は第２経路部から、前記第２経路部又は第１経路部に切換えることを特徴とする。
【００２７】
本発明にあっては、第１経路部に切換えた状態で、検出手段が第１電圧値を検出し、検出後、切換え手段は、第１経路部から第２経路部に切換える。従って、接続経路の経路部を切換え、各経路において異なる第１及び第２電圧値を検出することが可能となる。
【００２８】
また、同様に、第２経路部に切換えた状態で、検出手段が第２電圧値を検出し、検出後、切換え手段は、第２経路部から第１経路部に切換える。従って、接続経路の経路部を切換え、各経路において異なる第１及び第２電圧値を検出することが可能となる。
【００２９】
本発明に係るタッチパネルシステムは、請求項１乃至請求項７のいずれかに記載のタッチパネルを複数有し、表示板と、絶縁膜とを備え、前記表示板に、前記複数のタッチパネル夫々が前記絶縁膜を介して積層されていることを特徴とする。
【００３０】
本発明にあっては、２つの抵抗膜が接触している領域の長さを検知することができるタッチパネルを複数有し、各タッチパネルが絶縁膜を介して、表示板に積層されている。絶縁膜が各タッチパネルを電気的に遮断するため、各タッチパネルは、独立して前記領域の長さを検知することができる。従って、下層乃至上層のタッチパネルにおける、２つの抵抗膜の接触状態を検知することができ、タッチパネルシステムが押されている状態を、タッチパネル単体に比べ、より詳細に検知することが可能となる。
【００３１】
本発明に係るタッチパネルシステムは、接触可能に対向配置されている２つの抵抗膜と、一方の抵抗膜を電圧源に接続する接続経路と、前記２つの抵抗膜が接触する際に、他方の抵抗膜に係る電圧値を検出する検出手段と、前記２つの抵抗膜が接触する位置に係る値を、前記電圧値から検知する位置検知手段とを備えるタッチパネルを複数有し、表示板と絶縁膜とを備え、前記表示板に、前記複数のタッチパネル夫々が前記絶縁膜を介して積層されていることを特徴とする。
【００３２】
本発明にあっては、２つの抵抗膜が接触している位置を検知することができるタッチパネルを複数有し、各タッチパネルが絶縁膜を介して、表示板に積層されている。絶縁膜が各タッチパネルを電気的に遮断するため、各タッチパネルは、独立して前記位置を検知することができる。従って、下層乃至上層のタッチパネルにおける、２つの抵抗膜の接触位置を検知することができ、タッチパネルシステムが押されている状態を、タッチパネル単体に比べ、より詳細に検知することが可能となる。
【００３３】
本発明に係るタッチパネルシステムは、接触可能に対向配置されている２つの抵抗膜と、一方の抵抗膜を電圧源に接続する接続経路と、前記２つの抵抗膜が接触する際に、他方の抵抗膜に係る電圧値を検出する検出手段と、前記２つの抵抗膜が接触する位置に係る値を、前記電圧値から検知する位置検知手段とを有するタッチパネルと、該タッチパネルに略平行に配置されている表示板と、該表示板と前記タッチパネルとの間、又は前記タッチパネルに対して前記表示板の反対側に配置されている圧電膜とを備えることを特徴とする。
【００３４】
本発明にあっては、２つの抵抗膜が接触している位置を検知することができるタッチパネルと、表示板との間、又は前記タッチパネルに対して表示板の反対側に圧電膜が配置されている。そうすると、タッチパネルが押されている位置と共に、圧電膜が検知する圧力値からタッチパネルが押されている強さを検知することができる。従って、位置検出が可能なタッチパネル及び圧電膜からタッチパネルシステムが押されている状態を、タッチパネル単体に比べ、より詳細に検知することが可能となる。
【００３５】
本発明に係るタッチパネルシステムは、請求項１乃至請求項７のいずれかに記載のタッチパネルと、該タッチパネルに略平行に配置されている表示板と、該表示板と前記タッチパネルとの間、又は前記タッチパネルに対して前記表示板の反対側に配置されている圧電膜とを備えることを特徴とする。
【００３６】
本発明にあっては、２つの抵抗膜が接触している領域の長さを検知することができるタッチパネルと、表示板との間、又は前記タッチパネルに対して表示板の反対側に圧電膜が配置されている。そうすると、タッチパネルシステムは、タッチパネルを介して、圧電膜に加わる圧力を、圧電膜によって検知することができ、一方、タッチパネルによって前記領域の長さを検知することができる。従って、タッチパネル及び圧電膜から、タッチパネルシステムが押されている状態を、タッチパネル単体に比べ、より詳細に検知することが可能となる。
【発明の効果】
【００３７】
本発明にあっては、タッチパネルが押されている領域における電位勾配方向の長さを検知することが可能となる。
【００３８】
本発明にあっては、タッチパネルが押されている領域における電位勾配方向の長さを演算することが可能となる。
【００３９】
本発明にあっては、タッチパネルが押されている強さ、即ち２つの抵抗膜に加わる圧力の値を特定することが可能となる。
【００４０】
本発明にあっては、タッチパネルシステムが押されている状態を、タッチパネル単体に比べ、より詳細に検知することが可能となる。
【発明を実施するための最良の形態】
【００４１】
（実施の形態１）
以下に、本発明をその実施の形態を示す図面に基づいて詳述する。
【００４２】
タッチパネルシステムは、タッチパネルと、タッチパネル上に操作ボタン、タッチパネルシステムの応答等を表示する表示板（不図示）とを備える。図１は、本発明に係るタッチパネルを模式的に示した構成図である。タッチパネルは、接触可能に対向配置された２つの抵抗膜、即ち第１抵抗膜１ａ及び第２抵抗膜１ｂと、第１及び第２抵抗膜１ａ、１ｂを電圧源に接続する第１及び第２接続経路２ａ、２ｂと、第１及び第２抵抗膜１ａ、１ｂの電圧を出力する第１及び第２出力部３ａ、３ｂと、タッチパネルの動作を制御する制御部４とを備えている。なお、電圧源は、定電圧を出力する電源であり、グランドの電位を基準電位として、所定の電位差Ｖｃｃを出力する。
【００４３】
第１及び第２抵抗膜１ａ、１ｂ夫々は、電気抵抗を有する透明な方形の膜、例えば、ＩＴＯ（Ｉｎｄｉｕｍ  Ｔｉｎ  Ｏｘｉｄｅ）膜であり、ドットスペーサ（不図示）を介して、接触可能に対向配置されている。
【００４４】
第１接続経路２ａは、第１抵抗膜１ａが有する一辺１０ａを電圧源の高電位側に接続及び切断する第１スイッチ２０ａを有する配線部分と、一辺１０ａに略平行な他方の一辺１１ａを電圧源の基準電位側に接続及び切断する第２スイッチ２１ａを有する配線部分とを備えている。また、第１接続経路２ａは、相違なる電気抵抗値を有する第１及び第２経路部５１ａ、５２ａと、第１接続経路２ａの経路部を第１経路部５１ａ及び第２経路部５２ａに切換える第５スイッチ５０ａとを有している。具体的には、第１経路部５１ａは、電圧源に接続されている配線であり、第２経路部５２ａは、所定の電気抵抗値ｒｘを有する電気抵抗器を備え、電圧源に接続されている配線である。
【００４５】
第２接続経路２ｂは、第２抵抗膜１ｂが有する一辺１０ｂを電圧源の高電位側に接続及び切断する第３スイッチ２０ｂを有する配線部分と、一辺１０ｂに略平行な他方の一辺１１ｂを電圧源の基準電位側に接続及び切断する第４スイッチ２１ｂを有する配線部分とを備えている。また、第２接続経路２ｂは、相違なる電気抵抗値を有する第３及び第４経路部５１ｂ、５２ｂと、第２接続経路２ｂの経路部を第３経路部５１ｂ及び第４経路部５２ｂに切換える第６スイッチ５０ｂとを有している。具体的には、第３経路部５１ｂは、電圧源に接続されている配線であり、第４経路部５２ｂは、所定の電気抵抗値ｒｙを有する電気抵抗器を備え、電圧源に接続されている配線である。
【００４６】
第１及び第２接続経路２ａ、２ｂが有する第１乃至第６スイッチ２０ａ、２０ｂ、２１ａ、２１ｂ、５０ａ、５０ｂは、トランジスタスイッチである。
【００４７】
図２は、タッチパネルの動作を制御する制御部４の内部構成、第１及び第２接続経路２ａ、２ｂ並びに第１及び第２抵抗膜１ａ、１ｂを模式的に示すブロック図である。図２中に示した接続経路２は、第１及び第２接続経路２ａ、２ｂを示している。
【００４８】
制御部４は、マイクロ・コンピュータであり、算術論理演算処理を行うＣＰＵ（Ｃｅｎｔｒａｌ  Ｐｒｏｃｅｓｓｉｎｇ  Ｕｎｉｔ）４０と、タッチパネルの動作を制御するためのプログラムを記憶しているＲＯＭ（Ｒｅａｄ  Ｏｎｌｙ  Ｍｅｍｏｒｙ）４１と、揮発性の半導体メモリであるＲＡＭ（Ｒａｎｄｏｍ  Ａｃｃｅｓｓ  Ｍｅｍｏｒｙ）４２と、第１及び第２出力部３ａ、３ｂからの出力電圧をデジタル信号に変換するＡ／Ｄ変換部（Ａｎａｌｏｇ  ｔｏ  Ｄｉｇｉｔａｌ変換部）４３と、Ａ／Ｄ変換部４３に接続し、信号の入出力を行うＩ／Ｏ装置（Ｉｎｐｕｔ／Ｏｕｔｐｕｔ装置）４４と、ＣＰＵ４０の命令を受け、接続経路２が有する第１乃至第６スイッチ２０ａ、２０ｂ、２１ａ、２１ｂ、５０ａ、５０ｂの開閉を制御するスイッチ制御部４５とを備えている。ＣＰＵ４０、ＲＯＭ４１、ＲＡＭ４２、Ｉ／Ｏ装置４４、及びスイッチ制御部４５は、バス４６に接続している。スイッチ制御部４５は、例えば、Ｉ／Ｏ装置を用いて実現すれば良い。
【００４９】
ＲＯＭ４１は、第１及び第２抵抗膜１ａ、１ｂの電気抵抗値Ｒｘ、Ｒｙと、第２及び第４経路部５２ａ、５２ｂの電気抵抗値ｒｘ、ｒｙとを記憶している。更に、タッチパネルが押され、第１及び第２抵抗膜１ａ、１ｂが接触している領域における電位勾配方向の長さを検知する検知手段、及び前記領域の位置を検知する位置検知手段夫々を実現するプログラムを記憶している。なお、電気抵抗値Ｒｘは、第１抵抗膜１ａを第１接続経路２ａで電圧源に接続する場合の電気抵抗値、つまり、図１に示すＸ方向における、第１抵抗膜１ａの一辺１０ａから、他の一辺１１ａに亘る第１抵抗膜１ａの電気抵抗値である。また、電気抵抗値Ｒｙは、第２抵抗膜１ｂを第２接続経路２ｂで電圧源に接続する場合の電気抵抗値、つまり、図１に示すＹ方向における、第２抵抗膜１ｂの一辺１０ｂから、他の一辺１１ｂに亘る第２抵抗膜１ｂの電気抵抗値である。
【００５０】
このように構成されているタッチパネルにおいて、タッチパネルが押されているＰ点の位置を検知する場合の動作を説明する。Ｐ点は、図３に示すように、第１及び第２抵抗膜１ａ、１ｂの大きさに比べて、十分小さな点状の領域である。
【００５１】
図３は、タッチパネルが押されているＰ点のＸ方向における位置を検知する場合に、制御部４が行うタッチパネルの動作を模式的に示す構成図である。Ｘ方向は、第１抵抗膜１ａを電圧源に接続した場合に生じる電位勾配方向、特に高電位方向を示している。ＣＰＵ４０は、スイッチ制御部４５を制御し、第１及び第２スイッチ２０ａ、２１ａを閉じ、第３及び第４スイッチ２０ｂ、２１ｂを開き、第５スイッチ５０ａをＡ側に接続し、第１接続経路２ａが有する経路部を第１経路部５１ａ側に切換える。この制御により、第１抵抗膜１ａは、電圧源に接続され、電位勾配が生じる。第２抵抗膜１ｂは、電圧源に接続されていない状態にある。次いで、第２出力部３ｂに出力される電圧値を検出する。具体的には、第２出力部３ｂに出力された電圧は、Ａ／Ｄ変換部４３において、デジタルの信号に変換され、変換された信号は、Ｉ／Ｏ装置４４に入力される。ＣＰＵ４０は、Ｉ／Ｏ装置４４に入力された信号を、ＲＡＭ４２に書き込むように制御し、第２出力部３ｂに出力されている第１電圧値Ｖｘを検出する。
【００５２】
図４は、タッチパネルが押されているＰ点のＹ方向における位置を検知する場合に、制御部４が行うタッチパネルの動作を模式的に示す構成図である。Ｙ方向は、第２抵抗膜１ｂを電圧源に接続した場合に生じる電位勾配方向、特に高電位方向を示している。次いで、ＣＰＵ４０は、スイッチ制御部４５を制御し、第３及び第４スイッチ２０ｂ、２１ｂを閉じ、第１及び第２スイッチ２０ａ、２１ａを開き、第６スイッチ５０ｂをＣ側に接続し、第２接続経路２ｂが有する経路部を第３経路部５１ｂ側に切換える。この制御により、第２抵抗膜１ｂは、電圧源に接続され、電位勾配が生じる。第１抵抗膜１ａは、電圧源に接続されていない状態にある。次いで、第１抵抗膜１ａに出力される第２電圧値Ｖｙを検出する。具体的な動作は、第１電圧値Ｖｘを検出する場合と同様である。
【００５３】
次いで、ＣＰＵ４０は、第１電圧値Ｖｘと第２電圧値Ｖｙとを用いて、タッチパネルが押された位置、即ち第１及び第２抵抗膜１ａ、１ｂが互いに接触しているＰ点の位置を検知する。第１抵抗膜１ａにおけるＰ点より高電側部分１２ａの電気抵抗値をＲｘ１、Ｐ点より低電位側部分１３ａの電気抵抗値をＲｘ２とした場合、第１電圧値Ｖｘについては、
Ｖｘ／Ｖｃｃ＝Ｒｘ２／（Ｒｘ１＋Ｒｘ２）
の関係が成立するため、第１電圧値Ｖｘから、Ｐ点のＸ方向の位置を検知することができる。同様に、第２抵抗膜１ｂにおけるＰ点より高電位側部分１２ｂの電気抵抗値をＲｙ１、Ｐ点より低電位側部分１３ｂの電気抵抗値をＲｙ２とした場合、第２電圧値Ｖｙについては、
Ｖｙ／Ｖｃｃ＝Ｒｙ２／（Ｒｙ１＋Ｒｙ２）
の関係が成立するため、第２電圧値Ｖｙから、Ｐ点のＹ方向の位置を検知することができる。
【００５４】
つまり、Ｖｘ／Ｖｃｃは、第１抵抗膜１ａの一辺１１ａの位置からＰ点までのＸ方向の長さに比例している。また、Ｖｙ／Ｖｃｃは、第２抵抗膜１ｂの一辺１１ｂの第１抵抗膜１ａからＰ点までのＹ方向の長さに比例している。従って、Ｖｘ及びＶｙの値から、Ｐ点の位置を検知することができる。
【００５５】
このように構成されるタッチパネルにおいて、タッチパネルが押されている領域における電位勾配方向の長さ及び面積を検知する場合の動作を説明する。図５は、制御部４によるタッチパネルの制御手順を示すフローチャートである。
【００５６】
初めに、タッチパネルが押されているか否かを判定する処理をＣＰＵ４０等が行う（ステップＳ１）。図６は、ステップＳ１における、タッチパネルの状態を模式的に示す構成図であり、第１及び第２抵抗膜１ａ、１ｂがＰ点で接触した瞬間を示している。ＣＰＵ４０は、タッチパネルが動作を開始した場合、スイッチ制御部４５を制御し、第２及び第３スイッチ２１ａ、２０ｂを開き、第１及び第４スイッチ２０ａ、２１ｂを閉じ、第５スイッチ５０ａをＡ側に接続し、第１接続経路２ａが有する経路部を第１経路部５１ａ側に切換える。次いで、この状態において、第２出力部３ｂに出力される電圧の値を、Ａ／Ｄ変換部４３、及びＩ／Ｏ装置４４を介して検出することにより、タッチパネルが押されているか否か、つまり第１及び第２抵抗膜１ａ、１ｂが互いに接触しているか否かを判定する。電圧値が、基準電位にある場合、タッチパネルは押されておらず、基準電位に比べ高電位にある場合、タッチパネルが押されていると判断する。タッチパネルが押されていないと判断した場合（Ｓ１：ＮＯ）、再びステップＳ１の処理を行う。
【００５７】
タッチパネルが押されていると判断した場合（Ｓ１：ＹＥＳ）、第１抵抗膜１ａを電圧源に接続し、第１接続経路２ａが有する経路部を第１経路部５１ａに切換えた状態で、第２抵抗膜１ｂの第１電圧値Ｖｘ１を検出し、検出した第１電圧値Ｖｘ１をＲＡＭ４２に書き込む処理をＣＰＵ４０等が行う（ステップＳ２）。
【００５８】
図７は、ステップＳ２における、タッチパネルの状態を模式的に示す構成図である。図７では、タッチパネルが強く押され、領域Ｐ２において第１及び第２抵抗膜１ａ、１ｂが互いに接触している。ＣＰＵ４０は、タッチパネルが押されていると判断した場合、スイッチ制御部４５を制御し、第１及び第２スイッチ２０ａ、２１ａを閉じ、第３及び第４スイッチ２０ｂ、２１ｂを開き、第５スイッチ５０ａをＡ側に接続して、第１接続経路２ａが有する経路部を第１経路部５１ａに切換える。次いで、ＣＰＵ４０は、第２出力部３ｂに出力される第２抵抗膜１ｂの第１電圧値Ｖｘ１をＡ／Ｄ変換部４３及びＩ／Ｏ装置４４を介して検出する。次いで、検出した第１電圧値Ｖｘ１をＲＡＭ４２に書き込む。なお、検出される第１電圧値Ｖｘ１は、第１抵抗膜１ａにおける領域Ｐ２の電圧値に相当する。
【００５９】
次いで、第２抵抗膜１ｂを電圧源に接続し、第２接続経路２ｂが有する経路部を第３経路部５１ｂに切換えた状態で、第１抵抗膜１ａの第２電圧値Ｖｙ１を検出し、検出した第２電圧値Ｖｙ１をＲＡＭ４２に書き込む処理をＣＰＵ４０等が行う（ステップＳ３）。
【００６０】
図８は、ステップＳ３における、タッチパネルの状態を模式的に示す構成図である。ＣＰＵ４０は、第１電圧値Ｖｘ１をＲＡＭ４２に書き込む処理を終えた場合、スイッチ制御部４５を制御し、第３及び第４スイッチ２０ｂ、２１ｂを閉じ、第１及び第２スイッチ２０ａ、２１ａを開き、第６スイッチ５０ｂをＣ側に接続して、第２接続経路２ｂが有する経路部を第３経路部５１ｂに切換える。次いで、第１出力部３ａに出力される第１抵抗膜１ａの第２電圧値Ｖｙ１をＩ／Ｏ装置４４を介して検出する。次いで、検出した第２電圧値Ｖｙ１をＲＡＭ４２に書き込む。ステップＳ２と同様に、第２電圧値Ｖｙ１は、第２抵抗膜１ｂにおける領域Ｐ２の電圧値に相当する。
【００６１】
次いで、第１抵抗膜１ａを電圧源に接続し、第１接続経路２ａが有する経路部を第２経路部５２ａに切換えた状態で、第２抵抗膜１ｂの第３電圧値Ｖｘ２を検出し、検出した第３電圧値Ｖｘ２をＲＡＭ４２に書き込む処理をＣＰＵ４０等が行う（ステップＳ４）。
【００６２】
図７は、ステップＳ４におけるタッチパネルの状態を合わせて示している。ＣＰＵ４０は、第２電圧値Ｖｙ１をＲＡＭ４２に書き込む処理を終えた場合、スイッチ制御部４５を制御し、第１及び第２スイッチ２０ａ、２１ａを閉じ、第３及び第４スイッチ２０ｂ、２１ｂを開き、第５スイッチ５０ａを点線で示すようにＢ側に接続して、第１接続経路２ａが有する経路部を第２経路部５２ａに切換える。次いで、第２出力部３ｂに出力される第２抵抗膜１ｂの第３電圧値Ｖｘ２をＩ／Ｏ装置４４を介して検出する。次いで、検出した第３電圧値Ｖｘ２をＲＡＭ４２に書き込む。
【００６３】
次いで、第２抵抗膜１ｂを電圧源に接続し、第２接続経路２ｂが有する経路部を第４経路部５２ｂに切換えた状態で、第１抵抗膜１ａの第４電圧値Ｖｙ２を検出し、検出した電圧値をＲＡＭ４２に書き込む処理をＣＰＵ４０等が行う（ステップＳ５）。
【００６４】
図８は、ステップＳ５におけるタッチパネルの状態を合わせて示している。ＣＰＵ４０は、第３電圧値Ｖｘ２をＲＡＭ４２に書き込む処理を終えた場合、スイッチ制御部４５を制御し、第３及び第４スイッチ２０ｂ、２１ｂを閉じ、第１及び第２スイッチ２０ａ、２１ａを開き、第６スイッチ５０ｂを点線で示すようにＤ側に接続して、第２接続経路２ｂが有する経路部を第４経路部５２ｂに切換える。次いで、第１出力部３ａに出力される第１抵抗膜１ａの第４電圧値Ｖｙ２をＩ／Ｏ装置４４を介して検出する。次いで、検出した第４電圧値Ｖｙ２をＲＡＭ４２に書き込む。
【００６５】
次いで、ステップＳ２乃至ステップＳ５において検出した、第１電圧値Ｖｘ１、第２電圧値Ｖｙ１、第３電圧値Ｖｘ２、及び第４電圧値Ｖｙ２、並びに第２経路部５２ａの電気抵抗値ｒｘ、第４経路部５２ｂの電気抵抗値ｒｙ、第１抵抗膜１ａの電気抵抗値Ｒｘ、及び第２抵抗膜１ｂの電気抵抗値Ｒｙから、タッチパネルが押されている領域Ｐ２の面積をＣＰＵ４０等が検知する（ステップＳ６）。つまり、領域Ｐ２のＸ方向及びＹ方向の長さに係る値を夫々演算し、タッチパネルが押されている領域Ｐ２の面積を検知する。
【００６６】
第４電圧値Ｖｙ２をＲＡＭ４２に書き込む処理を終えた場合、ＣＰＵ４０は、Ｘ方向における領域Ｐ２の長さに係る値ｋｘを演算する。図７に示すように、第１抵抗膜１ａのＸ方向の電気抵抗値をＲｘ、Ｘ方向における領域Ｐ２部分１１４ａの電気抵抗値をＲｘ１３、領域Ｐ２より高電位側部分１１２ａの電気抵抗値をＲｘ１１、領域Ｐ２より低電位側部分１１３ａの電気抵抗値をＲｘ１２、第２経路部５２ａの電気抵抗値をｒｘとした場合、第１電圧値Ｖｘ１について、
Ｖｘ１／Ｖｃｃ＝Ｒｘ１２／（Ｒｘ１１＋Ｒｘ１２）
の関係が成立する。
【００６７】
また、第３電圧値Ｖｘ２について、
Ｖｘ２／Ｖｃｃ＝Ｒｘ１２／（Ｒｘ１１＋Ｒｘ１２＋ｒｘ）
の関係が成立する。
【００６８】
更に、第１抵抗膜１ａの電気抵抗値について、
Ｒｘ１１＋Ｒｘ１２＋Ｒｘ１３＝Ｒｘ
の関係が成立する。
【００６９】
従って、これらの関係式から、領域Ｐ２の長さに比例する電気抵抗値Ｒｘ１３を演算することができ、領域Ｐ２の長さに係る値ｋｘを演算することができる。値ｋｘの演算は、ＣＰＵ４０が行う。
【００７０】
ｋｘの値として、例えば、
ｋｘ＝Ｒｘ１３／Ｒｘ＝１−Ｖｘ２・ｒｘ／｛（Ｖｘ１−Ｖｘ２）・Ｒｘ｝
と演算する。このｋｘの値は、第１抵抗膜１ａのＸ方向の長さに対する、領域Ｐ２のＸ方向における長さの割合である。従って、値ｋｘから、Ｘ方向における領域Ｐ２の長さを評価することが可能となる。
【００７１】
次に、Ｙ方向における領域Ｐ２の長さに係る値ｋｙについて説明する。ｋｙの値も、ｋｘの値と同様にして考えることができる。図８に示すように、第２抵抗膜１ｂのＹ方向の電気抵抗値をＲｙ、Ｙ方向における、領域Ｐ２部分１１４ｂの電気抵抗値をＲｙ１３、領域Ｐ２より高電位側部分１１２ｂの電気抵抗値をＲｙ１１、領域Ｐ２より低電位側部分の電気抵抗値１１３ｂをＲｙ１２、第４経路部５２ｂの電気抵抗値をｒｙとした場合、第２電圧値Ｖｙ１について、
Ｖｙ１／Ｖｃｃ＝Ｒｙ１２／（Ｒｙ１１＋Ｒｙ１２）
で示される関係が成立する。
【００７２】
また、第４電圧値Ｖｙ２について、
Ｖｙ２／Ｖｃｃ＝Ｒｙ１２／（Ｒｙ１１＋Ｒｙ１２＋ｒｙ）
で示される関係が成立する。
【００７３】
更に、第２抵抗膜１ｂの電気抵抗値について、
Ｒｙ１１＋Ｒｙ１２＋Ｒｙ１３＝Ｒｙ
で示される関係が成立する。
【００７４】
従って、これらの関係式から、領域Ｐ２の長さに比例する電気抵抗値Ｒｙ１３を演算することができ、従って領域Ｐ２の長さに係る値ｋｙを演算することができる。ｋｘの演算は、ＣＰＵ４０が行う。
【００７５】
ｋｙの値として、例えば、
ｋｙ＝Ｒｙ１３／Ｒｙ＝１−Ｖｙ２・ｒｙ／｛（Ｖｙ１−Ｖｙ２）・Ｒｙ｝
と演算する。このｋｙの値は、第２抵抗膜１ｂのＹ方向の長さに対する、領域Ｐ２のＹ方向における長さの比である。従って、値ｋｙから、Ｙ方向における領域Ｐ２の長さを評価することが可能となる。
【００７６】
また、演算して得られたｋｘ及びｋｙの値から、領域Ｐ２の面積を検知することが可能となる。例えば、ｋｘ・ｋｙの値を演算することにより、領域Ｐ２の面積を評価することが可能となる。また、領域Ｐ２を円形と仮定し、π・（ｋｘ／２）2 、又はπ・（ｋｙ／２）2 の値を演算して、領域Ｐ２の面積を評価することも可能である。
【００７７】
領域Ｐ２の長さ、面積等の検知を終えた場合、ステップＳ１に戻り、再びタッチパネル１が押されているか否かを判定する状態に戻る。
【００７８】
なお、ステップＳ１乃至ステップＳ５において行う、第１乃至第６スイッチ２０ａ、２０ｂ、２１ａ、２１ｂ、５０ａ、５０ｂの開閉の順序は任意である。例えば、各ステップにおけるスイッチの開閉状態を示すデータを、スイッチ制御部４５に送り、第１乃至第６スイッチ２０ａ、２０ｂ、２１ａ、２１ｂ、５０ａ、５０ｂの開閉状態を一時に制御すれば良い。また、第１スイッチ２０ａから、第６スイッチ５０ｂまで、順番に開閉状態を制御しても良い。
【００７９】
また、第１及び第２抵抗膜１ａ、１ｂが接触する領域における電位勾配方向の長さを演算する領域長演算手段を実現するプログラムと、第１抵抗膜１ａの長さＬｘ、第２抵抗膜１ｂの長さＬｙを、ＲＯＭ４１が記憶している場合、必要に応じて、領域長演算手段を実現するプログラムを実行することにより、ＲＯＭ４１が記憶している第１抵抗膜１ａのＸ方向の長さＬｘと、演算したｋｘの値とから、領域Ｐ２のＸ方向における実際の長さＬｘ・ｋｘを演算することができる。同様にして、ＲＯＭ４１が記録している第２抵抗膜１ｂのＹ方向の長さＬｙと、演算したｋｙの値とから、領域Ｐ２のＹ方向における実際の長さＬｙ・ｋｙを演算することができる。従って、タッチパネルが押されている領域Ｐ２のＸ方向の長さ及びＹ方向の実際の長さを演算することが可能となる。なお、言うまでもなく、Ｌｘ・ｋｘ及びＬｙ・ｋｙの演算は、ＣＰＵ４０が行う。
【００８０】
更に、第１及び第２抵抗膜１ａ、１ｂが接触する領域の面積を演算する面積演算手段を、ＲＯＭ４１が記憶している場合、必要に応じて、面積演算手段を実現するプログラムを実行することにより、領域Ｐ２の面積を演算することができる。例えば、領域Ｐ２を円形と仮定して、π・（Ｌｘ・ｋｘ／・２）2 、又はπ・（Ｌｙ・ｋｙ／２）2 と演算することにより、領域Ｐ２の面積を演算することができる。また、領域Ｐ２を楕円と仮定して、π・（Ｌｘ・ｋｘ／２）・（Ｌｙ・ｋｙ／２）と演算することにより、領域Ｐ２の面積を演算することができる。
【００８１】
更にまた、ｋの値と、タッチパネルに加わる圧力値の値との対応関係、及び第１及び第２抵抗膜１ａ、１ｂが接触する領域に加わる圧力を特定する圧力特定手段を実現するプログラムを、ＲＯＭ４１が記憶している場合、必要に応じて、圧力特定手段を実現するプログラムを実行することにより、タッチパネルに加わる圧力を特定することができる。つまり、ＲＯＭ４１が記憶しているｋの値と、タッチパネルに加わる圧力値の値との対応関係、例えば値ｋと圧力値との対応表、又は値ｋに関する、圧力値の関数等を用いて、ｋの値から、圧力値を特定することができる。
【００８２】
このように構成されるタッチパネルにあっては、タッチパネルが押されている領域の長さ、面積を検知することが可能となる。従って、例えばペン入力を受け付け、ペン入力に応じて液晶ディスプレイに曲線、図形等を表示する装置に、本発明に係るタッチパネルを適用した場合、ペン先の太さに応じて、細書き、又は太書き等を判断し、液晶ディスプレイにペン先の大きさに相当する太さの線分を表示するような装置を構成することが可能となる。
【００８３】
また、タッチパネルが押されている圧力の強さを特定することが可能であるため、例えば、ビデオカメラの操作を受け付ける操作部として、圧力を特定するタッチパネルを用いた場合、タッチパネルに加わる圧力の大きさに応じて動作するビデオカメラを構成することが可能となる。タッチパネルが押される強さに応じて、撮像している被写体画像のズーム・イン、ズーム・アウト等の動作を行うビデオカメラ、或は、タッチパネルが押される強さに応じて、再生画像の早送り再生の速度調節を行うビデオカメラ等を構成することが可能となる。
【００８４】
更にまた、必要に応じて、タッチパネルが押されている領域Ｐ２の中心位置を、第１電圧値Ｖｘ１、第２電圧値Ｖｙ１から検知することができる。つまり、Ｖｘ１は、Ｘ方向における領域Ｐ２の中心部の位置に比例し、Ｖｙ１は、Ｙ方向における領域Ｐ２の中心部の位置に比例するため、第１及び第２電圧値Ｖｘ１、Ｖｙ１から、位置検出が可能となる。
【００８５】
なお、実施の形態において、第１接続経路は、第１抵抗膜を電圧源の高電位側に接続する配線部分に、第１及び第２経路部を有しているが、これに限るものではなく、図９に示すように、第１抵抗膜を電圧源の基準電位側に接続する配線部分に、第１及び第２経路部を有するものであっても良い。また、第２接続経路が有する第３及び第４経路部についても同様である。
【００８６】
図９は、実施の形態に係るタッチパネルの変形例を模式的に示す構成図である。図９中、１０２ａは、第１抵抗膜１ａを電圧源に接続する第１接続経路であり、第１接続経路１０２ａは、第１抵抗膜１ａを電圧源の基準電位側に接続する配線部分に、第１及び第２経路部１５１ａ、１５２ａと、経路部を第１及び第２経路部１５１ａ、１５２ａに切換える第５スイッチ１５０ａとを備えている。第１接続経路１０２ａが備える、第１及び第２スイッチ１２０ａ、１２１ａは、実施の形態で説明した第１及び第２スイッチと同様なものである。
【００８７】
同様に、図９中、１０２ｂは、第２抵抗膜１ｂを電圧源に接続する第２接続経路であり、第２接続経路１０２ｂは、第２抵抗膜１ｂを電圧源の基準電位側に接続する配線部分に、第３及び第４経路部１５１ｂ、１５２ｂと、経路部を第３及び第４経路部１５１ｂ、１５２ｂに切換える第６スイッチ１５０ｂとを備えている。第２接続経路１０２ｂが備える、第３及び第４スイッチ１２０ｂ、１２１ｂは、実施の形態で説明した第３及び第４スイッチと同様ものである。
【００８８】
このようにタッチパネルを構成する場合においても、第１接続経路１０２ａが有する経路部を、第５スイッチ１５０ａにより第１及び第２経路部１５１ａ、１５２ａ夫々に切換えた状態で、第１及び第２電圧値を検出し、Ｘ方向における領域Ｐ２の長さを検知すれば良い。
【００８９】
つまり、第１抵抗膜１ａのＸ方向の電気抵抗値をＲｘ、Ｘ方向における領域Ｐ２部分１１４ａの電気抵抗値をＲｘ１３、領域Ｐ２より高電位側部分１１２ａの電気抵抗値をＲｘ１１、領域Ｐ２より低電位側部分１１３ａの電気抵抗値をＲｘ１２、第２経路部１５２ａの電気抵抗値をｒｘとした場合、第１電圧値Ｖｘ１について、
Ｖｘ１／Ｖｃｃ＝（Ｒｘ１２）／（Ｒｘ１１＋Ｒｘ１２）
の関係が成立する。
【００９０】
また、第３電圧値Ｖｘ２について、
Ｖｘ２／Ｖｃｃ＝（Ｒｘ１２＋ｒｘ）／（Ｒｘ１１＋Ｒｘ１２＋ｒｘ）
の関係が成立する。
【００９１】
更に、第１抵抗膜１ａの電気抵抗値について、
Ｒｘ１１＋Ｒｘ１２＋Ｒｘ１３＝Ｒｘ
の関係が成立する。
【００９２】
従って、これらの関係式から、領域Ｐ２の長さに比例する電気抵抗値Ｒｘ１３を演算することができ、領域Ｐ２の長さに係る値ｋｘを演算することができる。Ｙ方向における領域Ｐ２の長さを検知する場合も同様である。
【００９３】
また、実施の形態においては、第１経路部及び第３経路部は、電気抵抗器が設けられていない配線部分であるが、これに限るものではなく、第１経路部と第２経路部の夫々に相異なる電気抵抗値を有する電気抵抗器を設け、第３経路部と第４経路部の夫々に相異なる電気抵抗値を有する電気抵抗器を設けても良い。
【００９４】
このように構成する場合においても、第１接続経路が有する経路部を、第５スイッチにより第１及び第２経路部夫々に切換えた状態で、第１及び第２電圧値を検出し、Ｘ方向における領域Ｐ２の長さを検知すれば良い。
【００９５】
つまり、第１抵抗膜１ａのＸ方向の電気抵抗値をＲｘ、Ｘ方向における領域Ｐ２部分の電気抵抗値をＲｘ１３、領域Ｐ２より高電位側部分１１２ａの電気抵抗値をＲｘ領域Ｐ２より低電位側部分１１３ａの電気抵抗値をＲｘ１２、第１経路部の電気抵抗値をｒｘ１、第２経路部の電気抵抗値をｒｘ２とした場合、第１電圧値Ｖｘ１について、
Ｖｘ１／Ｖｃｃ＝Ｒｘ１２／（Ｒｘ１１＋Ｒｘ１２＋ｒｘ１）
の関係が成立する。
【００９６】
また、第３電圧値Ｖｘ２について、
Ｖｘ２／Ｖｃｃ＝Ｒｘ１２／（Ｒｘ１１＋Ｒｘ１２＋ｒｘ２）
の関係が成立する。
【００９７】
従って、これらの関係式から、領域Ｐ２の長さに比例する電気抵抗値Ｒｘ１３を演算することができ、領域Ｐ２の長さに係る値ｋｘを演算することができる。
【００９８】
ｋｘの値として、例えば、
ｋｘ＝Ｒｘ１３／Ｒｘ＝１−（Ｖｘ１・ｒｘ１−Ｖｘ２・ｒｘ２）／｛（Ｖｘ１−Ｖｘ２）・Ｒｘ｝
と演算すれば良い。
【００９９】
このように構成されるタッチパネルにおいては、第１乃至第４経路部の電気抵抗値は、電気抵抗器により設定されるため、経路の一部を配線で構成する場合に比べ、より正確に第１及び第２抵抗膜１ａ、１ｂが接触する領域の長さに係る値を検知することが可能となる。
【０１００】
更に、第１抵抗膜を電圧源の基準電位側に接続する配線部分に、相違なる電気抵抗値を有する電気抵抗器を備える第１経路部と第２経路部を設けても良い。
また、第３及び第４経路部についても同様である。
【０１０１】
更にまた、実施の形態においては、第２経路部の電気抵抗値ｒｘ、第１抵抗膜の電気抵抗値Ｒｘを用いて、Ｘ方向における領域Ｐ２の長さを検知しているが、これに限るものではなく、第２経路部に対応する値、例えばｒｘ／Ｒｘ、又は、ｒｘに比例する値等を用いて、領域Ｐ２の長さを検知しても良い。Ｙ方向の長さを検知する場合も同様である。
【０１０２】
更にまた、実施の形態においては、ＲＯＭが第２経路部の電気抵抗値ｒｘ、第１抵抗膜の電気抵抗値Ｒｘを記憶しているが、これに限るものではなく、第１抵抗膜を電圧源に接続し、第１出力部の電圧値を検知し、検知した値から第１経路部又は第２経路部の電気抵抗値を演算し、演算した値を用いて、Ｘ方向における領域Ｐ２の長さを検知しても良い。Ｙ方向の長さを検知する場合も同様である。
【０１０３】
更にまた、実施の形態においては、領域Ｐ２の長さに係る値ｋｘ、ｋｙを、第１抵抗膜、又は第２抵抗膜の長さに対する割合として、演算しているが、これに限るものではなく、タッチパネルの用途に応じて、領域Ｐ２の長さに比例する値、又は領域Ｐ２の長さの関数値を演算して、領域Ｐ２の長さを評価しても良い。
【０１０４】
なお、言うまでもなく、Ｌｘ、Ｌｙの長さは、ＭＫＳ単位系における長さに限るものではなく、他の単位系、又はある所定の長さを１単位とした長さであっても良い。例えば、第１抵抗膜の一辺の長さを１単位として、長さを定義しても良い。
【０１０５】
更にまた、実施の形態においては、ステップＳ１に次いで、ステップＳ２乃至ステップＳ５の処理を順に行っているが、これに限るものではなく、ステップＳ２乃至ステップＳ５で行う処理の順序を、相互に入れ替えても良い。例えば、ステップＳ１に次いで、ステップＳ２、ステップＳ４、ステップＳ３、ステップＳ５と順番に処理を実行するものであっても良い。
【０１０６】
更にまた、制御部として、実施の形態で示したような、マイクロ・コンピュータを用いているが、これに限るものではなく、実施の形態で示した処理を行うことができる演算処理回路、又は種々の回路を組み合わせたものであっても良い。
【０１０７】
（実施の形態２）
図１０は、実施の形態２に係るタッチパネルシステムを模式的に示した構成図である。タッチパネルシステムは、表示板７ａに、タッチパネル夫々が、絶縁膜５ｂ、５ｃを介して積層されて構成されている。
【０１０８】
タッチパネルシステムは、実施の形態１で示した、２つの抵抗膜、出力部（不図示）及び接続経路２を備える２組のタッチパネル１Ａ、１Ｂと、一方のタッチパネル１Ｂに対向し、操作ボタン、タッチパネルの応答等を表示する表示板７ａ、例えば液晶ディスプレイと、表示板７ａの動作を直接制御するＬＣＤコントローラ７ｂと、２組のタッチパネル１Ａ、１Ｂ及びＬＣＤコントローラ７ｂの動作を制御する制御部１０４とを備えている。各タッチパネル１Ａ、１Ｂの動作を制御する制御部は、一個のマイクロ・コンピュータである制御部１０４により制御されている。また、制御部１０４が備える検出手段、検知手段等の手段、及び内部構成は、実施の形態１で示した制御部と同様であり、制御部１０４が備えるバスに、２組の接続経路２、及びＬＣＤコントローラ７ｂが接続している。
【０１０９】
図１０において、上層に配置されているタッチパネル１Ａは、接触可能に対向配置されている第１及び第２抵抗膜１ａ、１ｂを備えている。第１及び第２抵抗膜１ａ、１ｂは、互いに対向していない面にＰＥＴ（ＰｏｌｙＥｔｈｌｅｎ  Ｔｅｒｅｐｈｔａｌａｔｅ）製の第１及び第２絶縁膜５ａ、５ｂを備えている。下層に配置されているタッチパネル１Ｂは、接触可能に対向配置されている第３及び第４抵抗膜１ｃ、１ｄを備えている。第３抵抗膜１ｃは、第４抵抗膜１ｄと対向していない面にＰＥＴ製の第３絶縁膜５ｃを備え、第４抵抗膜１ｄは、第３抵抗膜１ｃに対向していない面にガラス基板６を備えている。なお、図１０において、第１及び第２抵抗膜１ａ、１ｂに付したハッチングは、図の理解を助けるために付したものである。
【０１１０】
このように構成されるタッチパネルシステムにおいては、上層のタッチパネル１Ａが押された場合、第１及び第２抵抗膜１ａ、１ｂが互いに接触し、タッチパネル１Ａが押される圧力の強さに応じて、下層のタッチパネル１Ｂの第３及び第４抵抗膜１ｃ、１ｄも、互いに接触する。
【０１１１】
図１１は、実施の形態２に係るタッチパネルシステムの動作の一例を模式的に示す側面図である。図１１（ａ）は、第１抵抗膜１ａに対して垂直方向から、ペン先９をタッチパネル１Ａに押し付けた状態を示している。図１１（ｂ）は、第１抵抗膜１ａに対して斜め方向からペン先９をタッチパネル１Ａに押し付けた状態を示している。
【０１１２】
図１１（ａ）に示した場合、第１及び第２抵抗膜１ａ、１ｂが接触している領域の電位勾配方向の長さを、上層のタッチパネル１Ａが検知し、第３及び第４抵抗膜１ｃ、１ｄが接触している領域の電位勾配方向の長さを、下層のタッチパネル１Ｂが検知するが、上層及び下層のタッチパネル１Ａ、１Ｂ夫々が検知する前記領域の長さは、同程度である。一方、図１１（ｂ）に示した場合、下層のタッチパネル１Ｂが検知する前記領域の長さは、上層のタッチパネルが検知する前記領域の長さに比べて、短い。このように、ペン先９がタッチパネルを押している状態、つまりペン先９がタッチパネルを押す方向、強さによって、上層及び下層のタッチパネル１Ａ、１Ｂが検知する前記領域の関係が変化する。従って、上層及び下層のタッチパネル１Ａ、１Ｂが検知する前記領域の長さから、タッチパネルが押されている状態を、タッチパネル単体に比べ、より詳細に検知することが可能となる。
【０１１３】
なお、このようなタッチパネルシステムを具体的に実現するためには、上層のタッチパネル１Ａが備える検出手段により検出した、第１抵抗膜１ａ又は第２抵抗膜１ｂの電圧値と、下層のタッチパネル１Ｂが備える検出手段により検出した、第３抵抗膜１ｃ又は第４抵抗膜１ｄの電圧値との差を演算する手段と、該手段により演算した差により、上層及び下層のタッチパネル１Ａ、１Ｂが押されている状態を特定する状態特定手段とを、タッチパネルシステムが更に備えるような構成にすれば良い。各手段は、言うまでもなく制御部１０４が備えるＣＰＵにより実現される。
【０１１４】
（実施の形態３）
図１２は、実施の形態３に係るタッチパネルシステムを模式的に示す構成図である。タッチパネルシステムは、表示板７ａに、従来のタッチパネルが、絶縁膜５ｂ、５ｃを介して積層されて構成されている。
【０１１５】
タッチパネルシステムは、従来のタッチパネルが備える２つの抵抗膜、出力部（不図示）及び接続経路５０２を備える２組のタッチパネル１Ｃ、１Ｄと、一方のタッチパネル１Ｄに対向している表示板７ａと、ＬＣＤコントローラ７ｂと、２組のタッチパネル１Ｃ、１Ｄ及びＬＣＤコントローラ７ｂの動作を制御する制御部２０４とを備えている。各タッチパネル１Ｃ、１Ｄの動作を制御する制御部は、一個のマイクロ・コンピュータである制御部２０４により制御されている。また、制御部２０４が備える検出手段、位置検知手段等の手段、及び内部構成は、従来のタッチパネルが備えるものと同様であり、制御部２０４が備えるバスに、２組の接続経路５０２、及びＬＣＤコントローラ７ｂが接続している。また、表示板７ａ及びＬＣＤコントローラ７ｂは、実施の形態２で示したものと同様である。
【０１１６】
図１２において、上層に配置されているタッチパネル１Ｃは、接触可能に対向配置されている第１及び第２抵抗膜１ａ、１ｂを備え、下層に配置されているタッチパネル１Ｄは、接触可能に対向配置されている第３及び第４抵抗膜１ｃ、１ｄを備えている。第１乃至第３抵抗膜１ａ、１ｂ、１ｃが備える第１乃至第３絶縁膜５ａ、５ｂ、５ｃ、及び第４抵抗膜１ｄが備えるガラス基板６は、実施の形態２で示したものと同様である。
【０１１７】
このように構成されるタッチパネルシステムにおいては、上層のタッチパネル１Ｃが押された場合、第１及び第２抵抗膜１ａ、１ｂが互いに接触し、タッチパネル１Ｃが押される圧力の強さに応じて、タッチパネル１Ｄの第３及び第４抵抗膜１ｃ、１ｄも、互いに接触する。つまり、タッチパネルが押される圧力が弱い場合、上層のタッチパネル１Ｃの第１及び第２抵抗膜１ａ、１ｂが互いに接触し、タッチパネルが押される圧力が強い場合、上層のタッチパネルのみならず、下層のタッチパネル１Ｄの第３及び第４抵抗膜１ｃ、１ｄも互いに接触する。
【０１１８】
従って、例えば上層のタッチパネル１Ｃによって、タッチパネルが押された位置を検知することが可能となり、下層のタッチパネル１Ｄが押されているか否かを判定することにより、タッチパネルを押す力の強弱を特定することが可能となる。
【０１１９】
また、異なる強さで、タッチパネル上の異なる２箇所を押した場合、上層のタッチパネル１Ｃが備える第１及び第２抵抗膜１ａ、１ｂは、前記２箇所で接触し、下層のタッチパネルは、前記２箇所の内、より強く押されている１箇所で接触する。そうすると、上層のタッチパネル１Ｃによって、前記２箇所の中央部分の位置を検知することが可能であり、下層のタッチパネル１Ｄによって、前記１箇所の位置を検知することが可能となる。従って、これらの位置から、前記２箇所の位置を検知することが可能となる。
【０１２０】
更に、タッチパネルが、斜め方向から押された場合（図１１参照）、一般に、上層のタッチパネル１Ｃが検知する位置と、下層のタッチパネル１Ｄが検知する位置とが異なる。従って、上層及び下層のタッチパネル１Ｃ、１Ｄが検知する位置のずれから、タッチパネルが押されている状態を、タッチパネル単体に比べ、より詳細に検知することが可能となる。
【０１２１】
なお、このようなタッチパネルシステムを具体的に実現するためには、上層のタッチパネル１Ｃが備える位置検知手段により検知した第１の位置と、下層のタッチパネル１Ｄが備える位置検知手段により検知した第２の位置とを比較し、タッチパネル１Ｃ、１Ｄが押されている状態を特定する状態特定手段を、タッチパネルシステムが更に備えるような構成にすれば良い。
【０１２２】
（実施の形態４）
図１３は、実施の形態４に係るタッチパネルシステムを模式的に示した構成図である。タッチパネルシステムは、実施の形態１で示したタッチパネルと、タッチパネルに略平行に配置されている表示板７ａと、表示板７ａ及びタッチパネルの間に配置されている圧電膜８ａとから構成されている。
【０１２３】
タッチパネルシステムは、従来のタッチパネルが備える２つの抵抗膜、出力部（不図示）及び接続経路５０２を備えるタッチパネルと、タッチパネルの下層に対向配置され、圧力に応じて電圧を発生する圧電膜８ａと、圧電膜８ａの電圧を出力する電圧出力部８ｂと、圧電膜８ａの下層に対向配置されている表示板７ａと、ＬＣＤコントローラ７ｂと、タッチパネル及びＬＣＤコントローラ７ｂの動作を制御する制御部３０４とを備えている。また、制御部３０４は、圧電膜８ａから電圧出力部８ｂに出力される電圧の値を検出する電圧検出手段を備えている。制御部３０４が備える位置検知手段等の手段、及び内部構成は、実施の形態１及び従来技術の説明で示した制御部と同様であり、制御部３０４が備えるバスに、接続経路５０２、及びＬＣＤコントローラ７ｂが接続している。
【０１２４】
タッチパネルは、接触可能に対向配置されている第１及び第２抵抗膜１ａ、１ｂを備えている。第１抵抗膜１ａは、第２抵抗膜１ｂと対向しない面にＰＥＴ製の第１絶縁膜５ａを備え、第２抵抗膜１ｂは、第１抵抗膜１ａと対向しない面にガラス基板６を備えている。
【０１２５】
このように構成されるタッチパネルシステムにおいては、タッチパネルが押された場合、タッチパネルにより、タッチパネルが押されている位置を検知することができ、圧電膜８ａにより、タッチパネルが押されている圧力を検知することができる。従って、タッチパネルが押されている状態を、タッチパネル単体に比べ、より詳細に検知することが可能となる。
【０１２６】
例えば、タッチパネルが押された場合、圧電膜８ａに発生した電圧の値を、電圧出力部８ｂを介して検出することにより、タッチパネルが押されている圧力の強さを特定することができるが、圧力の強さと、タッチパネルが押される領域の面積との対応関係を制御部３０４が記憶している場合、タッチパネルが押され、第１及び第２抵抗膜１ａ、１ｂが互いに接触している領域の長さを検知することが可能となる。また、タッチパネルの位置検知手段により、前記領域の中心位置を検知することが可能となる。
【０１２７】
なお、このようなタッチパネルシステムを具体的に実現するためには、電圧検出手段により検出した、圧電膜８ａの電圧値と、第１及び第２抵抗膜１ａ、１ｂが接触している領域の面積との対向関係を記憶している記憶手段と、前記対応関係と、圧電膜８ａの電圧値とから前記領域の面積を特定する面積特定手段とを、タッチパネルシステムに備えると良い。
【０１２８】
また、実施の形態４においては、タッチパネルと表示板７ａとの間に圧電膜８ａが配置されているが、これに限るものではなく、タッチパネルに対して表示板７ａの反対側に圧電膜８ａを配置しても良い。
【０１２９】
（実施の形態５）
図１４は、実施の形態５に係るタッチパネルを模式的に示した構成図である。タッチパネルシステムは、従来のタッチパネルと、タッチパネルに略平行に配置されている表示板７ａと、表示板７ａ及びタッチパネルの間に配置されている圧電膜８ａとから構成されている。
【０１３０】
タッチパネルシステムは、実施の形態１で示した２つの抵抗膜、出力部（不図示）及び接続経路２を備えるタッチパネルと、タッチパネルの下層に対向配置され、圧力に応じて電圧を発生する圧電膜８ａと、圧電膜８ａの電圧を出力する電圧出力部８ｂと、圧電膜８ａの下層に対向配置されている表示板７ａと、ＬＣＤコントローラ７ｂと、タッチパネル及びＬＣＤコントローラ７ｂの動作を制御する制御部４０４とを備えている。また、制御部４０４は、圧電膜８ａから電圧出力部８ｂに出力される電圧の値を検出する電圧検出手段を備えている。制御部４０４が備える検出手段、検知手段等の手段、及び内部構成は、実施の形態１で示した制御部と同様であり、制御部４０４が備えるバスに、接続経路２、及びＬＣＤコントローラ７ｂ、電圧出力部８ｂが接続している。
【０１３１】
このように構成されるタッチパネルシステムにおいては、タッチパネルが押された場合、上層のタッチパネルにより、タッチパネルが押されている領域の長さ、又は面積等を検知することができ、圧電膜８ａにより、タッチパネルが押されている圧力を検知することができる。ところで、圧力の強さと、タッチパネルが押される領域の長さとの対応関係を制御部４０４が記憶している場合、タッチパネルが押され、第１及び第２抵抗膜１ａ、１ｂが互いに接触している領域の長さを、圧電膜８ａにより検知することができる。そうすると、タッチパネルと、圧電膜８ａとの双方により前記領域の長さを検知することが可能となる。従って、タッチパネルが押されている状態を、タッチパネル単体に比べ、より詳細に検知することが可能となる。
【０１３２】
例えば、タッチパネルシステムが、２箇所で押されている場合、タッチパネルは、前記２箇所に亘る領域の長さを検知する。一方、圧電膜８ａは、２箇所で押されている場合であっても、圧電膜８ａに加わる圧力に応じて、電圧を発生する。そうすると、タッチパネルによる長さの検知結果と、圧電膜８ａによる長さの検知結果とを比較することにより、タッチパネルが一箇所で押された状態で、領域の長さを検知しているのか否かを判定できる。従って、タッチパネルが一箇所で押された状態を検知した上で、前記領域の長さを検知することが可能となる。
【０１３３】
例えば、タッチパネルが検知する領域の長さと、圧電膜８ａにより検知した領域の長さとが一致しない場合、複数箇所でタッチパネルが押されているといった異常な状態であり、タッチパネルによる検知結果も異常なものであると判断し、一方、タッチパネル及び圧電膜８ａが検知する領域の長さが一致する場合、正常な状態でタッチパネルが押されたと判断し、検知した領域の長さを信用できる値として処理するようなタッチパネルシステムを構成することが可能となる。
【０１３４】
なお、このようなタッチパネルシステムを具体的に実現するためには、電圧検出手段により検出した圧電膜８ａの電圧値と、第１及び第２抵抗膜１ａ、１ｂが接触している領域の長さとの対応関係を記憶している記憶手段と、前記対応関係と、圧電膜８ａの電圧値とから前記領域の長さを特定する特定手段と、特定手段による特定結果、及びタッチパネルが検知する前記領域の長さから、タッチパネルが押されている状態を特定する手段とを、タッチパネルシステムに備えると良い。
【０１３５】
また、実施の形態５においては、表示板７ａとタッチパネルとの間に圧電膜８ａが配置されているが、タッチパネルに対して前記表示板７ａの反対側に圧電膜８ａを配置しても良い。
【図面の簡単な説明】
【０１３６】
【図１】本発明に係るタッチパネルを模式的に示した構成図である。
【図２】タッチパネルの動作を制御する制御部の内部構成、第１及び第２接続経路、並びに第１及び第２抵抗膜を模式的に示すブロック図である。
【図３】タッチパネルが押されているＰ点のＸ方向における位置を検知する場合に、制御部が行うタッチパネルの動作を模式的に示す構成図である。
【図４】タッチパネルが押されているＰ点のＹ方向における位置を検知する場合に、制御部が行うタッチパネルの動作を模式的に示す構成図である。
【図５】制御部によるタッチパネルの制御手順を示すフローチャートである。
【図６】ステップＳ６における、タッチパネルの状態を模式的に示す構成図である。
【図７】ステップＳ２及びＳ４における、タッチパネルの状態を模式的に示す構成図である。
【図８】ステップＳ３及びＳ５における、タッチパネルの状態を模式的に示す構成図である。
【図９】実施の形態１に係るタッチパネルの変形例を模式的に示す構成図である。
【図１０】実施の形態２に係るタッチパネルシステムを模式的に示した構成図である。
【図１１】実施の形態２に係るタッチパネルシステムの動作の一例を模式的に示す側面図である。
【図１２】実施の形態３に係るタッチパネルシステムを模式的に示した構成図である。
【図１３】実施の形態４に係るタッチパネルシステムを模式的に示した構成図である。
【図１４】実施の形態５に係るタッチパネルシステムを模式的に示した構成図である。
【図１５】従来のタッチパネルシステムを模式的に示した構成図である。
【図１６】従来のタッチパネルを模式的に示した構成図である。
【図１７】従来のタッチパネルが有している問題点を説明する構成図である。
【符号の説明】
【０１３７】
１ａ  第１抵抗膜
１ｂ  第２抵抗膜
２  接続経路
２ａ  第１接続経路
２ｂ  第２接続経路
３ａ  第１出力部
３ｂ  第２出力部
４  制御部
４０  ＣＰＵ
４１  ＲＯＭ
４２  ＲＡＭ
４３  Ａ／Ｄ変換部
４４  Ｉ／Ｏ装置
４５  スイッチ制御部
５０ａ  第５スイッチ
５０ｂ  第６スイッチ
５１ａ  第１経路部
５１ｂ  第３経路部
５２ａ  第２経路部
５２ｂ  第４経路部
７ａ  表示板
７ｂ  ＬＣＤコントローラ
８ａ  圧電膜
８ｂ  電圧出力部
【図１】
2005196310.tif 000003
【図２】
2005196310.tif 000004
【図３】
2005196310.tif 000005
【図４】
2005196310.tif 000006
【図５】
2005196310.tif 000007
【図６】
2005196310.tif 000008
【図７】
2005196310.tif 000009
【図８】
2005196310.tif 000010
【図９】
2005196310.tif 000011
【図１０】
2005196310.tif 000012
【図１１】
2005196310.tif 000013
【図１２】
2005196310.tif 000014
【図１３】
2005196310.tif 000015
【図１４】
2005196310.tif 000016
【図１５】
2005196310.tif 000017
【図１６】
2005196310.tif 000018
【図１７】
2005196310.tif 000019